(57)【特許請求の範囲】
【請求項１】
単一の飲料供給容器で使用するための一体型飲料用こし器蓋であって、
上部及び下部を備えた本体であって、前記下部は、前記単一の飲料供給容器に取り外し可能に取り付けられ、前記上部は、上側及び下側を含む基部を備えた飲料凹部と、前記基部の上側よりも上方に突出する第一側壁部と、を備え、この第一側壁部の上端部が、上方に開口する上方開口部を備えた横方向に延びる側壁凹部を含み、前記基部は、第一取り付け孔及び飲み口を備え、これら第一取り付け孔及び飲み口のそれぞれが、前記基部の上側と下側との間で前記基部を貫通し、前記第一取り付け孔が固定寸法を備えた前記本体と、
剛体の上端壁部、剛体の下端壁部、及び、前記上端壁部と前記下端壁部との間の空間を封入する剛体のバスケット側壁部を含み、消耗抽出製品の取り外し可能な受容のための封入可能な容器を画定する流体浸透性の抽出バスケットであって、前記下端壁部は、前記蓋が前記単一の飲料供給容器から取り外されたときに、前記封入可能な容器内に前記消耗抽出製品を受容する開口位置と、前記蓋が前記単一の飲料供給容器に取り付けられると共に前記抽出バスケットが展開位置にあるときに、前記封入可能な容器内に前記消耗抽出製品を保持する閉口位置との間で移動可能である前記流体浸透性の抽出バスケットと、
前記第一取り付け孔を貫く可撓性の取り付け部材であって、前記基部の上側の上方に位置する上端部と、前記基部の下側の下方に位置し且つ前記抽出バスケットに取り付けられた下端部と、を備え、前記上端壁部が前記基部の下側へ近位である収容位置と、前記上端壁部が前記基部の下側から離隔される展開位置との間で前記抽出バスケットを移動させるように操作可能である前記可撓性の取り付け部材と、を有し、
前記取り付け部材は、前記展開位置にあるときに前記下端壁部より上の前記上端壁部で前記抽出バスケットを支持するように前記抽出バスケットへ取り付けられ、
前記側壁凹部は、前記抽出バスケットが前記収容位置にあるとき、前記取り付け部材の上部の少なくとも長手方向部分を内方への移動に対して解除可能に保持するように寸法決めされていることを特徴とする一体型飲料用こし器蓋。
【請求項２】
前記側壁凹部は、外端部を備え、前記取り付け部材の上端部は、使用者が把持する把持部材を含み、前記取り付け部材の少なくとも長手方向部分は伸縮可能であり、前記取り付け部材は、前記抽出バスケットが前記収容位置に移動したときに、前記把持部材が引っ張られ、前記取り付け部材の伸縮可能な長手方向部分を伸ばして前記側壁凹部内に前記取り付け部材を位置決めし、前記把持部材が前記側壁凹部の外端部の横方向外側にあり、
前記把持部材は、伸ばされた前記取り付け部材から生ずる内向きの力が、前記側壁凹部を経て前記把持部材を内側に引っ張らないように、前記側壁凹部の外端部よりも大きい寸法を備えている請求項１記載の一体型飲料用こし器蓋。
【請求項３】
前記第一取り付け孔は、前記上部の中央部で前記基部を貫く請求項１記載の一体型飲料用こし器蓋。
【請求項４】
前記取り付け部材は、前記抽出バスケットが前記展開位置と前記収容位置との間を移動するときに前記第一取り付け孔を貫く長手方向中央部分を備えており、前記第一取り付け孔及び前記取り付け部材の前記長手方向中央部分は、実質的に同一断面の寸法及び形状を有する請求項１記載の一体型飲料用こし器蓋。
【請求項５】
前記本体の上部は、さらに、前記基部の上側よりも上方に突出する第二側壁部を備え、前記第一側壁部及び前記第二側壁部は、間隔を置いており、前記基部と共に前記第一側壁部と前記第二側壁部との間に凹部を形成し、前記第一取り付け孔及び前記飲み口は、別々の離間した孔であり、かつ、それぞれの上端が前記凹部内に位置する請求項１記載の一体型飲料用こし器蓋。
【請求項６】
前記側壁凹部は、互いに離間する第一対向壁及び第二対向壁を備え、これら第一対向壁及び第二対向壁は、間隔を置いて配置され、この間隔内で前記取り付け部材の少なくとも長手方向部分を把持し、前記抽出バスケットが前記収容位置にあるときに内向きの動きに対して前記取り付け部材の上部を保持し、前記取り付け部材の少なくとも長手方向部分は、前記側壁凹部の上方開口部に出入りするために、前記取り付け部材の少なくとも長手方向部分に対して横切る方向に移動可能である請求項１記載の一体型飲料用こし器蓋。
【請求項７】
前記本体は、その上部の表面沿いに延在する第一細長い凹部と、回転軸周囲で回転するために前記上部へ枢動可能に接合されたカバーと、を含み、前記カバーは、前記飲み口を飲用へ開封し露出する開口位置及び前記飲み口を密封する閉口位置間で選択的に可動である請求項１記載の一体型飲料用こし器蓋。
【請求項８】
前記取り付け部材は、前記上端部と前記下端部との間に位置する中央長手方向部分を備えており、この中央長手方向部分は、前記第一取り付け孔を通して摺動可能である請求項２記載の一体型飲料用こし器蓋。
【請求項９】
前記側壁凹部は係合部を備え、前記取り付け部材の上端は栓部材を備え、前記取り付け部材の少なくとも長手方向部分は伸縮可能であり、
前記抽出バスケットが前記収容位置に移動するときに、前記取り付け部材の伸縮可能な長手方向部分が前記側壁凹部内に前記取り付け部材を位置決めし、前記栓部材が前記側壁凹部の係合部の横方向外側になるように、前記取り付け部材の長さが寸法決めされており、
前記栓部材は、伸長した前記取り付け部材から生ずる内向きの力が前記把持部材を前記側壁凹部を介して内側に引っ張らないように前記側壁凹部の係合部よりも大きい寸法を備えている請求項２記載の一体型飲料用こし器蓋。
【請求項１０】
前記取り付け部材の上端部は栓部材を備え、この栓部材は、前記抽出バスケットが前記展開位置にあるときに前記栓部材が前記第一取り付け孔から下方に通過しないように、前記第一取り付け孔の少なくとも一部よりも大きい寸法を有する請求項１記載の一体型飲料用こし器蓋。
【請求項１１】
飲料容器用の一体型飲料用こし器蓋であって、
飲み口を備えた上部を含む本体と、
上端壁部、下端壁部、及び、前記上端壁部と前記下端壁部との間の空間を封入するバスケット側壁部を含み、消耗抽出製品の取り外し可能な需要のための封入可能な容器を画定する流体浸透性の抽出バスケットと、
前記上端壁部が前記蓋の上部へ近位である収容位置と、前記上端壁部が前記蓋の上部から離隔される展開位置との間で前記抽出バスケットを移動させるように操作可能である可撓性の取り付け部材と、を有し、
前記取り付け部材は、前記展開位置にあるときに前記下端壁部より上の前記上端壁部で前記抽出バスケットを支持するように前記抽出バスケットへ取り付けられ、
前記本体は、さらに、上方に開口する前記上部に側壁凹部を備え、
前記側壁凹部は、狭い受容部に向かって下方にテーパ状になる上方開口部を備えており、前記狭い受容部は、前記抽出バスケットが前記収容位置にあるとき、前記取り付け部材を受容して保持するように寸法決めされていることを特徴とする一体型飲料用こし器蓋。
【請求項１２】
前記本体は、前記飲み口を介して液体を排出するときに周囲圧力で前記飲料容器内の圧力を均等にするための通気孔をさらに含む請求項１１記載の一体型飲料用こし器蓋。
【請求項１３】
前記本体の下部は、前記単一の飲料供給容器へ螺合可能である請求項１記載の一体型飲料用こし器蓋。
【請求項１４】
前記カバーは、前記閉口位置にあるときに前記第一細長い凹部中へ嵌着するものである請求項７記載の一体型飲料用こし器蓋。
【請求項１５】
封入空間が前記第一細長い凹部及び前記閉口位置の前記カバー間に画定され、前記カバーは、前記閉口位置にあるときに前記飲み口を密封するように適合された飲料栓を含む請求項７記載の一体型飲料用こし器蓋。
【請求項１６】
前記本体は、その上部の表面沿いに延在する第一細長い凹部と、回転軸周囲で回転するために前記上部へ枢動可能に接合されたカバーと、を含み、前記カバーは、前記飲み口を飲用へ開封し露出する開口位置及び前記飲み口を密封する閉口位置間で選択的に可動であり、前記第一細長い凹部と前記閉口位置の前記カバーとの間に封入空間が形成され、前記カバーは前記閉口位置にあるときに前記通気孔を密封するように適合された通気栓を含む請求項１２記載の一体型飲料用こし器蓋。
【請求項１７】
前記回転軸は、前記上部の周辺に隣接する位置に配置される請求項７記載の一体型飲料用こし器蓋。
【請求項１８】
前記抽出バスケットは、複数の穴部を含む請求項１記載の一体型飲料用こし器蓋。
【請求項１９】
前記抽出バスケットは、その中に前記消耗抽出製品を選択的に挿入し保持するためのドアを含む請求項１記載の一体型飲料用こし器蓋。
【請求項２０】
前記抽出バスケットは、前記取り付け部材を受容し保持するための前記上端壁部中に第二取り付け孔を含む請求項１記載の一体型飲料用こし器蓋。
【請求項２１】
前記上端部は、前記第一取り付け孔を介して前記取り付け部材を把持し摺動することを促進する把持するつまみ部を含む請求項８記載の一体型飲料用こし器蓋。
【請求項２２】
前記上端部は、前記第一取り付け孔を介して下方向への前記上端部の引き抜きを防止する大きさを有する第一基部を含む請求項８記載の一体型飲料用こし器蓋。
【請求項２３】
前記取り付け部材は、さらに、その上端部と下端部との間に中間部を含み、前記第一基部は、前記中間部が前記側壁凹部中に保持されるときに前記第一側壁部の外面に当接するものである請求項２２記載の一体型飲料用こし器蓋。
【請求項２４】
前記第一基部は、前記抽出バスケットが前記展開位置にあるときに前記第一取り付け孔に当接するものである請求項２２記載の一体型飲料用こし器蓋。
【請求項２５】
前記本体は、回転軸周囲での回転のために前記上部へ枢動可能に接合されたカバーを含み、前記カバーは、前記飲み口を開封し飲用に露出する開口位置と前記飲み口を密封する閉口位置との間で選択的に可動であり、
前記カバーが、前記本体の前記カバーと前記上部との間に封入空間が形成された前記閉口位置にあるとき、並びに、前記カバーが前記閉口位置にあって且つ前記抽出バスケットが前記展開位置にあるとき、前記取り付け部材の上端部は、前記封入空間の内側に位置決めされている請求項８記載の一体型飲料用こし器蓋。
【請求項２６】
前記本体は、回転軸周囲での回転のために前記上部へ枢動可能に接合されたカバーを含み、前記カバーは、前記飲み口を開封し飲用に露出させる開口位置と前記飲み口を密封する閉口位置との間で選択的に可動であり、前記カバーが、前記本体の前記カバーと前記上部との間に封入空間が形成された前記閉口位置にあるとき、並びに、前記カバーが前記閉口位置にあって且つ前記抽出バスケットが前記収容位置にあるとき、前記取り付け部材の上端部は、前記封入空間の外側に位置決めされる請求項８記載の一体型飲料用こし器蓋。
【請求項２７】
前記中央長手方向部分は、前記第一取り付け孔と実質的に同じ直径を有する請求項８記載の一体型飲料用こし器蓋。
【請求項２８】
前記上端壁部は、第二取り付け孔を備え、前記下端部は、前記第二取り付け孔を介して上方向への前記下端部の引き抜きを防止する大きさを有する第二基部を含む請求項８記載の一体型飲料用こし器蓋。
【請求項２９】
前記第二基部は、前記抽出バスケットが前記収容位置にあるときに前記第一取り付け孔に当接する請求項２８記載の一体型飲料用こし器蓋。
【請求項３０】
単一の飲料容器アセンブリであって、
単一の飲料容器と、
飲料容器用の一体型飲料用こし器蓋と、を有し、
この一体型飲料用こし器蓋は、
飲み口と、下方向へ開口するキャビティと、を備えた上部を含む本体と、
上端壁部、下端壁部、及び、前記上端壁部と前記下端壁部との間の空間を封入するバスケット側壁部を含み、消耗抽出製品の取り外し可能な受容のために封入可能な容器を画定する流体浸透性の抽出バスケットと、
前記上端壁部が前記キャビティ内に配置される収容位置、及び前記上端壁部が前記キャビティの外側に配置される展開位置間で前記抽出バスケットを移動させるように操作可能である可撓性の取り付け部材と、を備え、
前記取り付け部材は、前記収容位置にあるときに前記下端壁部より上の前記キャビティ内の前記上端壁部で前記抽出バスケットを支持するように前記抽出バスケットへ取り付けられ、
前記本体は、さらに、その上部に側壁凹部を備え、この側壁凹部は、上方に開口すると共に前記抽出バスケットが前記収容位置にあるときに前記取り付け部材を解除可能に保持するように寸法決めされ、
前記側壁凹部は、前記抽出バスケットが前記収容位置にあるとき、前記取り付け部材を受け入れて保持するように寸法決めされた狭い受容部に向かって下方にテーパ状になる上方開口部を備えていることを特徴とする単一の飲料容器アセンブリ。
【請求項３１】
前記本体は、前記上部から前記下方向へ開口するキャビティまで延びる取り付け孔を備え、前記可撓性の取り付け部材は、前記取り付け孔を貫通し、かつ、前記抽出バスケットの上端壁部に取り付けられた下端部と、前記上部よりも上方に延びる上端部と、を備えている請求項３０記載の飲料容器アセンブリ。
【発明の詳細な説明】
【技術分野】
【０００１】
本発明は、飲料容器のための取り外し可能な蓋に関する。具体的には、本発明は、飲料容器中に茶、コーヒーまたは他の消耗品を抽出するための手段を含む蓋に関する。
【背景技術】
【０００２】
以下の記載は、本発明を理解する際に有用であり得る情報を有する。本明細書に提供された情報のいずれかが先行技術もしくは特許請求される本発明の関連である、または具体的にもしくは黙示的に参照される任意の公報が先行技術であることを認めるものではない。
【０００３】
特許文献１（米国特許第８２０５５４２号明細書）は、飲料容器中で消耗品を抽出するための流体浸透性抽出バスケットを含む一体型飲料用こし器蓋を開示する。
【先行技術文献】
【特許文献】
【０００４】
【特許文献１】米国特許第８２０５５４２号明細書
【発明の概要】
【発明が解決しようとする課題】
【０００５】
本発明は、飲料容器のための取り外し可能な蓋を提供することを目的としている。
【図面の簡単な説明】
【０００６】
【図１】一体型飲料用こし器蓋の上面斜視図である。
【図２】飲料用こし器及び蓋の分解図である。
【図３Ａ】飲料用こし器及び蓋を使用した取り付け部材の平面図である。
【図３Ｂ】図３Ａの取り付け部材の側面図である。
【図４Ａ】閉塞したカバーを備える蓋本体を示す飲料用こし器及び蓋の上面斜視図である。
【図４Ｂ】開放したカバーを備える蓋本体を示す飲料用こし器及び蓋の上面斜視図である。
【図４Ｃ】開放したカバーを備える蓋本体を示す飲料用こし器及び蓋の左側面図である。
【図４Ｄ】開放したカバーを備える蓋本体を示す飲料用こし器及び蓋の左側面断面図である。
【図５Ａ】飲料用こし器及び蓋を使用した抽出バスケットの側面断面図である。
【図５Ｂ】抽出バスケットの上面斜視図である。
【図５Ｃ】抽出バスケットの下面斜視図である。
【図６】閉塞したカバーを備える収容位置の抽出バスケットを示す飲料用こし器及び蓋の背面断面図である。
【図７】閉塞したカバーを備える収容位置の抽出バスケットを示す飲料用こし器及び蓋の右側断面図である。
【図８】開放したカバーを備える収容位置の抽出バスケットを示す飲料用こし器及び蓋の上面平面図である。
【図９】飲料用こし器及び蓋の上面斜視図である。
【図１０】開放したカバーを備える展開位置の抽出バスケットを示す飲料用こし器及び蓋の正面断面図である。
【図１１】閉塞したカバーを備える展開位置の抽出バスケットを示す飲料用こし器及び蓋の左側断面図である。
【図１２】収容位置の抽出バスケット及び完全に開放したカバーを備える飲料容器へ取り付けられた蓋を示す一体型飲料用こし器蓋の左側断面図である。
【図１３】展開位置の抽出バスケット及び完全に開放したカバーを備える飲料容器へ取り付けられた蓋を示す一体型飲料用こし器蓋の左側断面図である。
【発明を実施するための形態】
【０００７】
飲料容器のための一体型飲料用こし器蓋１０を図１で説明する。この蓋は上部１４及び下部１６を備える実質的に円筒形状の本体１２を含む。カバー１８は蓋１０の上部１４へ枢着され、上部１４の第一細長い凹部２０中へ嵌着するように閉塞されることが可能である。可撓性取り付け部材２２は蓋１０の下部１６内で吊着された抽出バスケット２４へ取り付けられる。可撓性取り付け部材２２は、以下でより詳細に記載されるように、収容位置（図１，６，７及び１２で示された）及び展開位置（図１０，１１及び１３で示された）間で抽出バスケット２４の移行を容易にする。上部１４及びカバー１８の上面は、周辺部２８より低い中央部２６に凹部を画定する。カバー１８は上部１４へ枢着され、上部１４の周辺部２８の後端部に設置された水平回転軸周囲で回転する。図示されないが、カバー１８は、周辺部２８から内側の回転軸に代替に取り付けられてもよい。図１において、蓋１０の下部１６の外面３０はねじ３２を含み、図１２及び１３で示されるように、蓋が飲料容器３４へ螺着することが可能である。他の取り付け手段は、バヨネット・マウントのような流体密封形態の飲料容器へ蓋に取り外し可能に接合するために使用されてもよく、飲料容器３４へ蓋１０を密封する大きさを有するＯリング３６またはガスケットを含んでもよい。
【０００８】
蓋１０の分解図を図２で説明する。取り付け孔３８を第一細長い凹部２０中へ提供する。取り付け部材２２は図６〜１１で示されるように取り付け孔３８を介して延出し、蓋１０へ抽出バスケット２４を取り付ける。抽出バスケット２４は、実質的に円筒形状、及びその中に茶、コーヒー、または他の抽出製品を設置できる空間を有する。抽出バスケット２４はバスケット上部２４Ａ及びバスケット下部２４Ｂを含む。
【０００９】
図３Ａで示された可撓性取り付け部材２２は、上端部２２Ａ、中間部２２Ｂ、及び下端部２２Ｃを含む。中間部２２Ｂは、取り付け孔３８中へ嵌着しこれを介して前後に摺動するような大きさである。中間部２２Ｂは本実施形態において円筒形状であるが、中間部２２Ｂは、非限定的な実施例として、矩形断面のような異なる形状を代替に有することができる。上端部２２Ａは使用者が把持するつまみ部４０を把持し取り付け孔３８を介して前後に中間部２２Ｂを移動させることを可能にする大きさを有する把持するつまみ部４０を含む。把持するつまみ部４０は、図３Ｂでみられるように厚さ方向に薄い。
【００１０】
挿入部４４は、取り付け部材２２の下端部２２Ｃ上に設置される。挿入部４４は抽出バスケット２４中へ挿入し抽出バスケット２４へ取り付け部材２２を保持するいくつかの保持爪部４６を含む。保持爪部４６は、下端部２２Ｃの自由端の方向へテーパ状に形成され、図６，７，１０及び１１で示されるように、抽出バスケット２４中へ下端部２２Ｃの挿入を可能にし、一旦挿入されるとそこからの撤退を防止する。
【００１１】
第一基部４２は、把持するつまみ部４０及び中間部２２Ｂ間に設置される。第一基部４２は、図１０及び１１で示されるように中間部２２Ｂ及び取り付け孔３８より幅が広い。第二基部４８は、中間部２２Ｂ及び挿入部４４間に配置される。第二基部４８は、図６及び７で示されるように、中間部２２Ｂ及び取り付け孔３８より幅が広い。取り付け部材２２を抽出バスケット２４中へ挿入すると、図６，７，１０及び１１でみられるように、保持爪部４６及び第二基部間に抽出バスケット２４を固定する。
【００１２】
カバー１８は、図４Ａで示されるように飲み口を密封する閉口位置、及び通気孔５８により促進された滑らかな液体の流れで、図４Ｂで示されるように使用者が飲み口から液体を摂取することができる開口位置間で回転軸周囲に選択的に回転可能である。カバー１８は、第一細長い凹部２０を被覆しこれの内に嵌合するような形状である。示されるように、カバー１８の後方向端部は、周辺部２８で第一細長い凹部２０の対向する側壁部内へ配置されこれらへ枢着される。あるいは、カバー１８は第一細長い凹部２０の外側の位置で上部１４へ代替に取り付けられてもよい。
【００１３】
飲み口５０、通気孔５８及び取り付け孔３８は、図４Ｂで示されるように、第一細長い凹部２０中に配置される。第一細長い凹部２０が上部１４のより小さい領域を越えて延出した場合に、非限定的な実施例として、取り付け孔３８は中央部２６付近の第一細長い凹部２０の外側に設置されることが可能である。
【００１４】
上方向へ開口した第二細長い凹部５２は、周辺部２８の方向へ取り付け孔３８から延出する。第二細長い凹部５２は、上方向及び外方向へ開口した側壁凹部５４で終端する。抽出バスケット２４が収容位置（図８及び図９参照）にあるときに、可撓性取り付け部材２２の中間部２２Ｂは第二細長い凹部５２中に配置されることができる。中間部２２Ｂの長手方向部が第二細長い凹部内にあるときにその側壁部が中間部を把持し、抽出バスケットが収容位置にあるときに可撓性取り付け部材の下端部２２Ｃから吊着された抽出バスケット２４の重量下での移動に対してそれを保持するような幅を第二細長い凹部５２は有する。使用者は、それを第二細長い凹部より上に配置し指を使用して下方向へそれを押し付け中間部の下方向への力を適用することで第二細長い凹部５２中へ中間部２２Ｂを圧入することができる。第二細長い凹部５２は側壁凹部５４へ対向する方向に取り付け孔３８を越えて延出する延出部５６を含むことができる。
【００１５】
第一細長い凹部２０中に配置された通気孔５８は、液体が飲み口５０を通過するときに飲料容器３４の外側の周囲圧力と飲料容器３４内の圧力を均等にする。あるいは通気孔５８は、第一細長い凹部２０の外側で上部１４の上面上に配置されてもよい、または完全に省かれてもよい。
【００１６】
側壁凹部５４は、図４Ｃで示されるように、上方向へ開口した開口部５４Ａを含む。開口部５４Ａは中間部２２Ｂの部分より幅が広く、抽出バスケット２４が収容位置にあるときに側壁凹部５０内に嵌合される。開口部５４Ａは、中間部２２Ｂの部分より幅が狭く側壁凹部５０内に嵌合される幅狭部５４Ｂへ下方向にテーパ状になる。側壁凹部５４は、中間部２２Ｂとほぼ同じ幅であるが抽出バスケット２４の重量下での移動に対してそれを保持するのに十分な力で中間部２２Ｂを好ましくは把持する幅狭部５４Ｂより下の保持部５４Ｃで終端する。
【００１７】
蓋１０の本体１２の下部１６は、図４Ｄで示されるように、上部１４から下方向へ延出し、開口した下端部６２Ａを含む下方向へ開口するキャビティ６２を形成する周方向に延在する側壁部６０を含む。環状当接壁部６４は、上部１４の下面から下方向へ延出し取り付け孔３８周囲に延在する。抽出バスケット２４を収容位置へ完全に上方向へ移動させるときに、抽出バスケットの上端壁部７６は、抽出バスケットが完全に収容位置にあるときに垂直方向に抽出バスケット２４を配向し保持するのを援助する環状当接壁部６４を係合する。
【００１８】
カバー１８は、カバーが閉口位置にあるときに、それぞれ飲み口５０及び通気孔５８を密封する飲用栓６６及び通気栓６８を含む。カバー１８の圧縮可能部７０は、飲用栓６６及び通気栓６８を被覆する。圧縮可能部７０は、カバー１８が閉口位置にあるときに、飲み口５０及び通気孔５８の流体密封シールを形成するのを支援する。カバー１８が閉口位置にあるときに、カバー１８の下面及び第一細長い凹部２０の上面間に封入空間７２を画定する。
【００１９】
取り付け孔３８は、図４Ｄで示されるように、上部キャビティ３８Ａ、中間孔３８Ｂ、及び下部キャビティ３８Ｃを含む。上部キャビティ３８Ａ及び／または下部キャビティ３８Ｃは、中間孔３８Ｂの方向へテーパ状に形成されることができる。中間孔３８Ｂは、図６，７，１０及び１１で示されるように、可撓性取り付け部材の中間部２２Ｂとほぼ同じ幅であり、またはこれよりわずかに大きく、収容及び展開位置間で抽出バスケット２４を移動させるときにそこを通して可撓性取り付け部材の移動を簡単にできる。取り付け孔３８が本実施形態において実質的に円筒形状であるが、取り付け孔は取り付け部材２２の断面形状に合う異なる形状を代替に有することができる。非限定的な実施例として、取り付け孔３８は代替に、矩形断面を有する取り付け部材２２が嵌合することができる細長い矩形形状の溝孔部であってもよい。
【００２０】
図５Ａを参照して、抽出バスケット２４の下部２４Ｂは下端壁部７４を含む。下端壁部７４は、図５Ｃで示されるように、抽出バスケット２４の内側の空間を露出するように開口し抽出製品の挿入及び除去を可能にする、抽出バスケットの下端開口部２４Ｃにドアを形成する。抽出バスケットの上部２４Ａは、可撓性取り付け部材２２を取り付ける上端壁部７６及びバスケット側壁部７８を含む。このバスケット側壁部７８は、下端壁部７４及び上端壁部７６を接合する。下端壁部７４、上端壁部７６及び／またはバスケット側壁部７８上の穴部は、液体を抽出バスケット２４に浸透させ、その中の抽出製品に接触させる。
【００２１】
バスケット取り付け孔８０は、図５Ｂで示されるように、上端壁部７６上に設置される。可撓性取り付け部材２２の挿入部４４はバスケット取り付け孔８０に挿入されることができるため、可撓性取り付け部材へ抽出バスケット２４を取り付ける。上端壁部７６の穴部はバスケット取り付け孔８０周囲に同心円状に配置される。抽出バスケット２４が図示されるように円筒形状であるが、抽出バスケット２４は、その中に抽出製品を封入するのを促進し、蓋１０を取り付ける飲料容器中の液体へ抽出製品を露出させる任意の容積形状であってもよい。このような容積形状は非限定的な実施例として、球状、箱形、または角柱状を有する。
【００２２】
図６は、収容位置の抽出バスケット２４を説明する。収容位置において、上端壁部７６は、上部１４の下面１４Ａに近位であり、環状当接壁部６４の下縁部と係合する。この位置において、可撓性取り付け部材２２の第二基部４８は、上部１４の下面１４Ａへ隣接して配置される。展開位置から収容位置へ抽出バスケット２４の移行のために、使用者は抽出バスケットが収容位置に到達するまで取り付け孔３８から離れて一般に上方向へ把持するつまみ部４０を引く。取り付け部材２２の中間部２２Ｂは第二細長い凹部５２より短い。結果として、使用者は、可撓性取り付け部材の第一基部４２が側壁凹部５４の外側で横方向状態で、第二細長い凹部５２中で及び側壁凹部５４の保持部５４Ｃ内に中間部２２Ｂを挿入するために、可撓性取り付け部材２２を若干伸張させ曲げなければならない。この伸張動作は、第二基部４８を上部１４の下面１４Ａの下部キャビティ３８Ｃ中へさらに完全に移動させ、そこでそれが取り付け孔３８の中間孔３８Ｂより下の位置で、取り付け孔３８の壁部及び可撓性取り付け部材２２の中間部２２Ｂ間の任意の間隙を被覆し、抽出バスケット２４が収容位置にあるときに取り付け孔３８を介して液体が漏れる及び熱が逃げるのを防止するのに役立つ。
【００２３】
上部１４は、図８及び９で示されるように、第二細長い凹部５２中で可撓性取り付け部材２２の中間部２２Ｂの摺動を簡単に容易にする、上方向へ開口し下方向内側にテーパ状になるテーパ部８２を含む。抽出バスケット２４が収容位置にあり、取り付け部材２２が伸張状態にあるときに、中間部２２Ｂは側壁凹部５４により保持されることができる。固定した保持は、側壁凹部５４の保持部５４Ｃより大きい寸法を有する可撓性取り付け部材２２の第一基部４２により補助されるため、それが第二細長い凹部５２を貫通しない。従って、第一基部４２は、中間部２２Ｂが側壁凹部５４にあるときに上部１４の外面８４上に保持されることができる。
【００２４】
抽出バスケット２４が収容位置にあるときに、抽出バスケットの少なくとも上端壁部７６は蓋１０の本体１２の下部１６の下方向へ開口するキャビティ６２内に配置される。上端壁部７６は、抽出バスケット２４が収容位置にあるときに当接壁部６４の下端部に接触することができ、抽出バスケット２４を垂直方向に配向する。いくつかの実施形態において、蓋１０の上部１４は下方向へ開口するキャビティ６２を提供しなくてもよい。このような形態の非限定的な実施例として、上部１４より下の下部１６が存在しない場合があるため、上部から下方向へ延出する下方向へ延出する側壁部６０が存在しない場合があり、飲料容器への蓋の取り付けのための取り付け手段（ねじ３２のような）が上部１４の周囲上に配置されてもよい。従って抽出バスケット２４は、それが下方向へ開口するキャビティ６２内になくても収容位置にとどまることが可能である。すなわち、収容位置は、抽出バスケット２４が上部１４の下面１４Ａへ近い位置を一般に画定するため、それが蓋１０を取り付ける飲料容器中の液体から完全にまたはこれから少なくとも大部分が外にある。収容位置において、可撓性取り付け部材２２の第二基部４８は、取り付け孔３８の下部キャビティ３８Ｃにあることができ、中間孔３８Ｂを密封することができる。
【００２５】
図７で示されるように、抽出バスケット２４が収容位置にあるときに、カバー１８は可撓性取り付け部材２２上で閉塞されることができる。従って、抽出バスケット２４が収容位置にあるときにカバー１８は封入空間７２中に可撓性取り付け部材の中間部２２Ｂを封入することができる。
【００２６】
図１０は、展開位置の抽出バスケット２４を説明する。展開位置において、抽出バスケットの上端壁部７６は、蓋１０を取り付ける飲料容器中の液体に少なくとも部分的に浸される、または収容位置にあるときより少なくともさらに浸されることができるくらい上部１４の下面１４Ａから離隔される。可撓性取り付け部材２２の第一基部４２は取り付け孔３８の上部キャビティ３８Ａ中へ嵌着することができ、中間孔より上の位置で取り付け孔の中間孔３８Ｂを被覆することができ、飲料を抽出しながら飲料容器内の熱を逃さないことに役立つ。把持するつまみ部４０が回転し第二細長い凹部５２と整合される平面にあるときに、把持するつまみ部の下部は第二細長い凹部５２内に、及び取り付け孔３８を越えて延出する延出部５６内にまた配置されることができる。図１１で示されるように、カバー１８が閉塞され抽出バスケット２２が展開位置にあるときに、把持するつまみ部４０は封入空間７２上で曲げられることができ、これに都合よく格納されることができる。
【００２７】
図１０において、抽出バスケット２４の上端壁部７６は蓋１０の下部１６の下方向へ開口するキャビティ６２より下に、及びこれの外側に配置されるが、この関係は展開位置を必ずしも画定するとは限らない。側壁部６０が上部１４から下方向へ延出しない場合に、例えば、抽出バスケット２４は収容位置にあるときに移動する下方向へ開口するキャビティ６２がなくても、抽出バスケット２４は展開位置にあることが可能である。反対に、側壁部６０は、飲料容器に関して、抽出バスケット２４が展開位置にありまだ下方向へ開口するキャビティ６２内に完全にまたは部分的にあるときに、液体に接触することができるような大きさであることが可能である。換言すれば、上端壁部７６が収容位置にあるときよりも蓋１０を取り付ける飲料容器中の液体に少なくとも部分的に浸されることができるくらい下面１４Ａから離隔されるときに、抽出バスケット２４は展開位置にあると考察されることができる。
【００２８】
図１２において、収容位置の抽出バスケット２４を備える飲料容器３４へ取り付けられた一体型飲料用こし器蓋１０を説明する。使用者が抽出工程を開始することを望む前、または抽出工程が使用者の嗜好を十分に達成したので抽出を続けない後のいずれかで、抽出バスケット２４は飲料容器３４中の液体より上に配置され、液体への抽出製品の露出を防止する。カバー１８は、開放され完全に後方向へ回転することができ、飲料容器３４の側面に立てかけられる。カバー１８の形状は、カバー１８が周辺部２８上及びこれの周囲で後方向へ到達し、飲料容器３４の湾曲した側面に立てかけられることを可能にする。
【００２９】
抽出バスケット２４は、図１３で示されるように、展開位置へ移動することができ、飲料容器３４内に配置されることができ、飲料容器３４中の液体へ抽出バスケット２４中の抽出製品を露出させる。液体が抽出製品へ十分に露出し、使用者が所望の抽出された製品を作るときに、使用者は把持するつまみ部４０を把持することができ、図１２で示された収容位置へ抽出バスケット２４を移動させるまで取り付け部材２２上で上方向へ引くことができ、抽出された製品が飽和状態になり苦くなるのを防ぐ。使用者は、他の用事を行いながらこのような操作を片手で容易に行うことができる。
【００３０】
本発明の特定の実施形態を説明して記載しているが、本明細書の本教示に基づき、本発明及びそのより広い態様から逸脱することなく変更及び修正を行うことができることは当業者に明らかであろうことから、添付の特許請求の範囲は、本発明の真の趣旨及び範囲内にあるように、その範囲内に全てのこのような変更及び修正を包含するものとする。さらに、本発明が添付の特許請求の範囲によってのみ定義されることを理解するべきである。一般に、本明細書、特に添付の特許請求の範囲（例えば、添付の特許請求の範囲の本文）で使用される用語が“オープン”用語として一般に意図される（例えば、用語“ｉｎｃｌｕｄｉｎｇ”が“ｉｎｃｌｕｄｉｎｇ  ｂｕｔ  ｎｏｔ  ｌｉｍｉｔｅｄ  ｔｏ”として解釈されるべきであり、用語“ｈａｖｉｎｇ”が“ｈａｖｉｎｇ  ａｔ  ｌｅａｓｔ”として解釈されるべきであり、用語“ｉｎｃｌｕｄｅｓ”が“ｉｎｃｌｕｄｅｓ  ｂｕｔ  ｉｓ  ｎｏｔ  ｌｉｍｉｔｅｄ  ｔｏ”として解釈されるべきである等）ことを当業者は理解するであろう。
【００３１】
導入された請求項記述の特定の数が意図される場合に、このような意図が請求項に明確に記述されるであろうし、このような記述が存在しない場合にこのような意図が存在しないことを当業者はさらに理解するであろう。例えば、理解の助けとして、以下に添付の特許請求の範囲は、請求項記述を導入する導入句“ａｔ  ｌｅａｓｔ  ｏｎｅ”及び“ｏｎｅ  ｏｒ  ｍｏｒｅ”の慣用を含むことができる。しかしながら、このような語句の使用は、同じ請求項が導入語句“ｏｎｅ  ｏｒ  ｍｏｒｅ”または“ａｔ  ｌｅａｓｔ  ｏｎｅ”及び“ａ”または“ａｎ”のような不定冠詞を含む（例えば、“ａ”及び／または“ａｎ”が“ａｔ  ｌｅａｓｔ  ｏｎｅ”または“ｏｎｅ  ｏｒ  ｍｏｒｅ”を意味するように典型的に解釈されるべきである）ときでさえ、不定冠詞“ａ”または“ａｎ”により請求項記述の導入がこのような記述の１つのみを含む発明へこのように導入された請求項記述を含む任意の特定の請求項を限定し、同じことが請求項記述を導入するために使用された定冠詞の使用に当てはまることを暗示するように構成されるべきではない。加えて、導入された請求項記述の特定の数が明確に記述される場合でさえ、このような記述が少なくとも記述された数を意味する（例えば、“２つの記述”の最低限の文が、他の修飾語句なしで、典型的に少なくとも２つの記述、または２つ以上の記述を意味する）と典型的に解釈されるべきであることを当業者は認識するであろう。
【図１】
0006930819.tif 000002
【図２】
0006930819.tif 000003
【図３Ａ】
0006930819.tif 000004
【図３Ｂ】
0006930819.tif 000005
【図４Ａ】
0006930819.tif 000006
【図４Ｂ】
0006930819.tif 000007
【図４Ｃ】
0006930819.tif 000008
【図４Ｄ】
0006930819.tif 000009
【図５Ａ】
0006930819.tif 000010
【図５Ｂ】
0006930819.tif 000011
【図５Ｃ】
0006930819.tif 000012
【図６】
0006930819.tif 000013
【図７】
0006930819.tif 000014
【図８】
0006930819.tif 000015
【図９】
0006930819.tif 000016
【図１０】
0006930819.tif 000017
【図１１】
0006930819.tif 000018
【図１２】
0006930819.tif 000019
【図１３】
0006930819.tif 000020